(57)【要約】【課題】ユーザーによる操作を容易にすることができる画像形成装置を提供する。【解決手段】画像形成装置１００は、第１ジョブ及び第２ジョブを並行して実行する機能を有する。画像形成装置１００は、タッチディスプレー２１と制御部１０とを備える。タッチディスプレー２１は、第１ジョブの実行の要求を受け付けて、第１ジョブに関する第１条件を設定するための第１設定画面を表示する。第１設定画面は、起動ボタンを含む。タッチディスプレー２１は、起動ボタンがタッチされると第２設定画面を表示する。第２設定画面は、第１ジョブに対応する第１ジョブ設定領域、及び第２ジョブに対応する第２ジョブ設定領域を含む。第１ジョブ設定領域には、第１設定画面において設定された第１条件を示す設定アイコンが表示される。制御部１０は、第２ジョブ設定領域に設定アイコンがコピーされると、第２ジョブに関する第２条件に第１条件を反映させる。【選択図】図２
2020021360.tif 000002
【特許請求の範囲】
【請求項１】
第１ジョブ及び第２ジョブを並行して実行する機能を有する画像形成装置であって、
前記第１ジョブの実行の要求を受け付けて、前記第１ジョブに関する第１条件を設定するための第１設定画面を表示するタッチディスプレーと、
前記タッチディスプレーの動作を制御する制御部と
を備え、
前記第１設定画面は、起動ボタンを含み、
前記タッチディスプレーは、前記起動ボタンがタッチされると第２設定画面を表示し、
前記第２設定画面は、前記第１ジョブに対応する第１ジョブ設定領域、及び前記第２ジョブに対応する第２ジョブ設定領域を含み、
前記第１ジョブ設定領域には、前記第１設定画面において設定された前記第１条件を示す設定アイコンが表示され、
前記第２ジョブ設定領域は、前記設定アイコンをコピーすることが可能な領域であり、
前記制御部は、前記第２ジョブ設定領域に前記設定アイコンがコピーされると、前記第２ジョブに関する第２条件に前記第１条件を反映させる、画像形成装置。
【請求項２】
前記第２ジョブ設定領域は、複数の条件領域を含み、
前記設定アイコンは、前記複数の条件領域のいずれか１つにコピーできる、請求項１に記載の画像形成装置。
【請求項３】
前記第２ジョブ設定領域は、複数であり、
前記複数の第２ジョブ設定領域は、それぞれ異なる前記第２ジョブに対応し、
前記複数の第２ジョブ設定領域は、前記第１ジョブ設定領域を挟んで対向する、請求項１又は請求項２に記載の画像形成装置。
【請求項４】
ジョブ実行ボタンを更に備え、
前記制御部は、前記ジョブ実行ボタンがタッチされると、前記第１ジョブと、前記第２条件に前記第１条件が反映された前記第２ジョブとを並行して実行する、請求項１〜請求項３のいずれか１項に記載の画像形成装置。
【請求項５】
前記ジョブ実行ボタンは、前記第２設定画面に含まれる、請求項４に記載の画像形成装置。
【請求項６】
前記制御部は、前記起動ボタンがタッチされている間、前記タッチディスプレーに前記第２設定画面を表示させる、請求項１〜請求項５のいずれか１項に記載の画像形成装置。
【請求項７】
前記第１条件を示す第１条件データ、及び前記第１条件が反映された前記第２条件を示す第２条件データを記憶する記憶部を更に備え、
前記記憶部は、前記第１ジョブが実行されるまで、前記第１条件データ及び前記第２条件データを記憶する、請求項１〜請求項６のいずれか１項に記載の画像形成装置。
【請求項８】
前記記憶部は、前記起動ボタンに対するタッチが解除された後も前記第１ジョブが実行されるまで、前記第１条件データ及び前記第２条件データを記憶する、請求項７に記載の画像形成装置。
【請求項９】
前記第２設定画面は、透明度を有し、
前記第２設定画面は、前記第１設定画面よりも上層に表示される、請求項１〜請求項８のいずれか１項に記載の画像形成装置。
【発明の詳細な説明】
【技術分野】
【０００１】
本発明は、画像形成装置に関する。
【背景技術】
【０００２】
複数のジョブを並行して実行する電子機器が開示されている。例えば、特許文献１には、複数のジョブを並行して実行する画像処理装置が開示されている。詳しくは、特許文献１に開示の画像処理装置は、ジョブ実行資源、ジョブ実行制御手段、及び指示操作手段を含む。ジョブ実行資源は、画像読取装置などを含む。ジョブ実行制御手段は、ジョブ実行資源による動作をジョブとして制御する。指示操作手段は、指示入力手段と、表示手段として機能する。指示操作手段は、メニュー切替キーを含む。表示手段は、表示画面を表示する表示用デバイスを含む。表示画面は、実行中のジョブに関する情報を表示する。実行中のジョブに関する情報は、例えば、実行中のジョブに関する設定の内容を示す。表示画面は、メニュー切替キーが操作されると、実行中のジョブの表示画面から他のジョブの表示画面へ切り替わる。
【先行技術文献】
【特許文献】
【０００３】
【特許文献１】特開平８−２２３３８２号公報
【発明の概要】
【発明が解決しようとする課題】
【０００４】
しかしながら、特許文献１に開示の画像処理装置では、実行中のジョブとは異なるジョブに関する条件を設定する場合、表示画面を切り替える必要がある。この結果、ユーザーによる操作が煩雑になる可能性がある。
【０００５】
本発明は、上記課題に鑑み、並行して実行する複数のジョブに関する条件の設定を容易にすることにより、ユーザーによる操作を容易にすることができる画像形成装置を提供することを目的とする。
【課題を解決するための手段】
【０００６】
本発明に係る画像形成装置は、第１ジョブ及び第２ジョブを並行して実行する機能を有する。当該画像形成装置は、タッチディスプレーと制御部とを備える。前記タッチディスプレーは、前記第１ジョブの実行の要求を受け付けて、前記第１ジョブに関する第１条件を設定するための第１設定画面を表示する。前記制御部は、前記タッチディスプレーの動作を制御する。前記第１設定画面は、起動ボタンを含む。前記タッチディスプレーは、前記起動ボタンがタッチされると第２設定画面を表示する。前記第２設定画面は、前記第１ジョブに対応する第１ジョブ設定領域、及び前記第２ジョブに対応する第２ジョブ設定領域を含む。前記第１ジョブ設定領域には、前記第１設定画面において設定された前記第１条件を示す設定アイコンが表示される。前記第２ジョブ設定領域は、前記設定アイコンをコピーすることが可能な領域である。前記制御部は、前記第２ジョブ設定領域に前記設定アイコンがコピーされると、前記第２ジョブに関する第２条件に前記第１条件を反映させる。
【発明の効果】
【０００７】
本発明の画像形成装置によれば、並行して実行する複数のジョブの設定を容易にすることにより、ユーザーの利便性を向上させることができる。
【図面の簡単な説明】
【０００８】
【図１】本発明の実施形態に係る画像形成装置の構成を示す図である。
【図２】本発明の実施形態に係る画像形成装置の構成を示すブロック図である。
【図３】本発明の実施形態に係る第１設定画面の一例を示す図である。
【図４】本発明の実施形態に係る第１設定画面及び第２設定画面を示す図である。
【図５】本発明の実施形態に係る第２設定画面の構成を示す図である。
【図６】本発明の実施形態に係るジョブ種別領域及びその近傍を示す図である。
【図７】本発明の実施形態に係るジョブ設定領域及びその近傍を示す図である。
【図８】本発明の実施形態に係る第２条件を第１条件に反映させる操作方法を示す図である。
【図９】本発明の実施形態に係るマルチファンクション機能を実行する操作方法を示す図である。
【図１０】本発明の実施形態に係る第２設定画面表示処理を示すフローチャートである。
【図１１】本発明の実施形態に係る第２設定画面の変形例を示す図である。
【図１２】本発明の実施形態に係る第２設定画面の他の変形例を示す図である。
【発明を実施するための形態】
【０００９】
以下、図面を参照して、本発明に係る画像形成装置の実施形態について説明する。なお、図中、同一又は相当部分については同一の参照符号を付して説明を繰り返さない。
【００１０】
まず、図１を参照して、本発明の実施形態に係る画像形成装置１００の構成について説明する。図１は、本実施形態に係る画像形成装置１００の構成を示す図である。本実施形態において、画像形成装置１００は、複合機である。画像形成装置１００は、マルチファンクション機能を有する。マルチファンクション機能は、メインジョブと、並行ジョブとを並行して実行する機能を示す。なお、並行ジョブは、メインジョブと異なるジョブであり、画像形成装置１００がメインジョブと並行して実行することができるジョブを示す。メインジョブは、第１ジョブの一例であり、並行ジョブは、第２ジョブの一例である。
【００１１】
図１に示すように、画像形成装置１００は、筐体１、操作部２、原稿搬送装置３、原稿読取装置４、給紙部５、印刷部６、及び排出トレイ１ｔを備える。筐体１は、給紙部５、及び印刷部６を収容する。
【００１２】
操作部２は、画像形成装置１００に対するユーザーからの指示を受け付ける。操作部２は、ユーザーからの指示を受け付けると、ユーザーからの指示を示す信号を出力する。本実施形態において、操作部２は、ユーザーからジョブの実行の要求を受け付ける。本実施形態において、ジョブは、「コピージョブ」、「送信ジョブ」、及び「ファクシミリ送信ジョブ」を含む。
【００１３】
操作部２は、タッチディスプレー２１及び複数のハードキー２２を含む。タッチディスプレー２１は、ディスプレー２１１及びタッチセンサー２１２を含む。
【００１４】
ディスプレー２１１は、ホーム画面などの各種画面を表示する。ホーム画面は、複数のジョブ選択ボタンを含む。ユーザーは、実行を要求するジョブに対応するジョブ選択ボタンをタッチすることによって、実行を要求するジョブを選択する。以下、ホーム画面を介して選択されたジョブを「メインジョブ」と記載する。ディスプレー２１１は、例えば、液晶ディスプレー又は有機ＥＬディスプレー（Ｏｒｇａｎｉｃ  Ｅｌｅｃｔｒｏ  Ｌｕｍｉｎｅｓｃｅｎｃｅ  Ｄｉｓｐｌａｙ）である。
【００１５】
タッチセンサー２１２は、被検知体によるタッチを検知する。タッチセンサー２１２は、被検知体によるタッチを検知した位置を示す検知信号を出力する。以下、被検知体によるタッチを検知した位置を「タッチ位置」と記載する。被検知体は、例えば、ユーザーの手指である。タッチセンサー２１２は、例えば、抵抗膜方式のタッチセンサー又は静電容量方式のタッチセンサーである。
【００１６】
複数のハードキー２２は、例えば、スタートキー、及びキャンセルキーを含む。
【００１７】
原稿搬送装置３は、原稿Ｄを搬送する。原稿搬送装置３は、原稿載置トレイ３１、原稿搬送部３２、及び原稿排出トレイ３３を備える。原稿搬送部３２は、原稿載置トレイ３１に載置された原稿Ｄを１枚ずつ原稿排出トレイ３３まで読取位置Ｒを経由するように搬送する。読取位置Ｒは、原稿読取装置４が原稿Ｄの画像を読み取ることが可能な位置である。
【００１８】
原稿読取装置４は、原稿Ｄの画像を読み取り、原稿Ｄの画像を示すデータを出力する。原稿読取装置４は、コンタクトガラス４１、及び読取機構４２を有する。読取機構４２は、コンタクトガラス４１に載置された原稿Ｄの画像を読み取って、原稿Ｄの画像を示すデータを出力する。あるいは、読取機構４２は、読取位置Ｒを通過する原稿Ｄの画像を読み取って、原稿Ｄの画像を示すデータを出力する。読取機構４２は、光源、キャリッジ、光学系、及びＣＣＤ（Ｃｈａｒｇｅ−Ｃｏｕｐｌｅｄ  Ｄｅｖｉｃｅ）イメージセンサーを有する。原稿読取装置４は、例えば、スキャナーである。
【００１９】
給紙部５は、複数のシートＳを収容し、収容された複数のシートＳを一枚ずつ給紙する。給紙部５から給紙されたシートＳは、印刷部６へ搬送される。シートＳは、例えば、用紙である。
【００２０】
印刷部６は、給紙部５から搬送されたシートＳに印刷を実行する。詳しくは、印刷部６は、シートＳに画像を形成する。本実施形態において、印刷部６は、露光装置６１、帯電装置６２、現像装置６３、感光体ドラム６４、転写装置６５、及び定着装置６６を備え、電子写真方式によって画像を形成する。露光装置６１は、画像データに基づいて、感光体ドラム６４に静電潜像を形成する。帯電装置６２は、感光体ドラム６４を所定の電位に均一に帯電させる。現像装置６３は、感光体ドラム６４にトナーを供給し、感光体ドラム６４上に形成された静電潜像を現像する。定着装置６６は、転写されたトナー像をシートＳに定着する。画像が形成されたシートＳは、排出トレイ１ｔへ排出される。排出トレイ１ｔは、筐体１の外部に設けられる。
【００２１】
続いて、図１及び図２を参照して、本発明の実施形態に係る画像形成装置１００の構成について更に説明する。図２は、本実施形態に係る画像形成装置１００の構成を示すブロック図である。
【００２２】
図２に示すように、画像形成装置１００は、ネットワーク通信部７、ファクシミリ通信部８、記憶部９、及び制御部１０を更に備える。
【００２３】
ネットワーク通信部７は、同じ通信方式を利用する通信機器が実装された外部装置との間でデータの通信を行う。本実施形態において、ネットワーク通信部７は、ＬＡＮ（Ｌｏｃａｌ  Ａｒｅａ  Ｎｅｔｗｏｒｋ）アダプターである。ネットワーク通信部７は、インターネットのようなネットワークを介して、外部装置と接続する。外部装置は、例えば、パーソナルコンピューターである。
【００２４】
ファクシミリ通信部８は、公衆電話回線網を介して外部のファクシミリ装置とデータの通信を行う。ファクシミリ通信部８は、ＮＣＵ（Ｎｅｔｗｏｒｋ  Ｃｏｎｔｒｏｌ  Ｕｎｉｔ）、モデム、符号化／復号化部を有する。
【００２５】
記憶部９は、各種のデータを記憶する。記憶部９は、ストレージデバイス及び半導体メモリーによって構成される。ストレージデバイスは、例えば、ＨＤＤ（Ｈａｒｄ  Ｄｉｓｋ  Ｄｒｉｖｅ）及び／又はＳＳＤ（Ｓｏｌｉｄ  Ｓｔａｔｅ  Ｄｒｉｖｅ）によって構成される。半導体メモリーは、例えば、ＲＡＭ（Ｒａｎｄｏｍ  Ａｃｃｅｓｓ  Ｍｅｍｏｒｙ）及びＲＯＭ（Ｒｅａｄ  Ｏｎｌｙ  Ｍｅｍｏｒｙ）を構成する。
【００２６】
制御部１０は、ＣＰＵ（Ｃｅｎｔｒａｌ  Ｐｒｏｃｅｓｓｉｎｇ  Ｕｎｉｔ）のようなプロセッサーによって構成される。また、制御部１０は、画像形成処理用の集積回路を備える。画像形成処理用の集積回路は、例えば、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）によって構成される。制御部１０は、記憶部９に記憶された制御プログラムを実行することにより、画像形成装置１００の各部の動作を制御する。
【００２７】
制御部１０は、ホーム画面を介してメインジョブをユーザーが選択すると、メインジョブに対応する第１設定画面をタッチディスプレー２１に表示させる。第１設定画面は、メインジョブに関する条件を設定するための設定画面である。以下、メインジョブに関する条件を「第１条件」と記載する。第１条件は、例えば、解像度の値に関する条件を含む。第１設定画面は、メインジョブの種別に対応する。
【００２８】
例えば、ユーザーがホーム画面を介して送信ジョブを選択すると、制御部１０は、送信ジョブに対応する第１設定画面をタッチディスプレー２１に表示させる。送信ジョブは、例えば、指定された解像度の値となるように画像データを変換し、変換後の画像データを指定された宛先へ電子メールによって送信するジョブである。
【００２９】
続いて、図１〜図３を参照して、本実施形態に係る第１設定画面ＳＧ１について説明する。図３は、本実施形態に係る第１設定画面ＳＧ１の一例を示す図である。以下では、タッチディスプレー２１の長手方向をＸ軸方向とし、Ｘ軸方向の一方を「Ｘ１」とし、Ｘ軸方向の他方を「Ｘ２」として実施形態を説明する。また、Ｘ軸方向と直交する方向をＹ軸方向とし、Ｙ軸方向の一方を「Ｙ１」とし、Ｙ軸の他方を「Ｙ２」として実施形態を説明する。
【００３０】
図３に示すように、第１設定画面ＳＧ１は、略矩形形状を有する。第１設定画面ＳＧ１は、ジョブメニュー表示領域ＡＪ１と、ジョブ条件設定領域ＡＪ２とを含む。ジョブメニュー表示領域ＡＪ１と、ジョブ条件設定領域ＡＪ２とは、Ｘ軸方向において隣接する。
【００３１】
ジョブメニュー表示領域ＡＪ１は、メインジョブの種別を示す。換言すると、ジョブメニュー表示領域ＡＪ１は、第１設定画面ＳＧ１において、条件が設定されるメインジョブの種別を表示する。図３に示す例において、ジョブメニュー表示領域ＡＪ１は、メインジョブの種別が「送信ジョブ（Ｓｅｎｄ）」であることを示す。
【００３２】
ジョブ条件設定領域ＡＪ２は、表示部ＤＳ、及び設定部ＢＳを含む。表示部ＤＳは、メインジョブの条件として設定された内容を表示する。表示部ＤＳは、例えば、メインジョブの条件として設定された宛先を表示する。
【００３３】
設定部ＢＳは、ユーザーは、設定部ＢＳを操作することにより、メインジョブの条件を設定する。本実施形態において、ユーザーは、設定部ＢＳを操作することにより、メインジョブの条件を設定する。
【００３４】
設定部ＢＳは、例えば、メインジョブの条件を設定するためのボタンを複数含む。メインジョブの条件を設定するためのボタンは、例えば、「集約の実行」、及び「解像度の値」を設定するボタンを含む。例えば、「集約の実行」が条件として設定されると、複数枚の原稿Ｄが１枚にシートＳにまとめられるようにジョブが実行される。また、例えば、「解像度の値」が任意の値に設定されると、設定された値の解像度となる画像データに基づいてジョブが実行される。
【００３５】
制御部１０は、メインジョブの条件が設定されると、メインジョブの条件を示すデータを記憶部９に記憶させる。以下、メインジョブの条件を「第１条件」と記載し、第１条件を示すデータを「第１条件データ」と記載する。第１条件データは、ジョブ識別データと関連付けて記憶される。ジョブ識別データは、ジョブを識別するデータである。ジョブ識別データは、ジョブの種別を示すデータを含む。本実施形態において、第１条件データとジョブ識別データとは、メインジョブが実行されるまで記憶部９に記憶される。
【００３６】
また、第１設定画面ＳＧ１は、起動ボタンＢ１を含む。起動ボタンＢ１は、半円形状を有する。詳しくは、起動ボタンＢ１は、円弧部Ｂ１ａ及び直径部Ｂ１ｂを有する。
【００３７】
図３に示す例において、起動ボタンＢ１は、ジョブ条件設定領域ＡＪ２に表示される。詳しくは、起動ボタンＢ１は、ジョブ条件設定領域ＡＪ２における第１設定画面ＳＧ１のＹ２側の端部に表示される。より詳しくは、起動ボタンＢ１は、直径部Ｂ１ｂが第１設定画面ＳＧ１のＹ２側の端辺と略一致するように表示される。
【００３８】
続いて、図１〜図４を参照して、本実施形態に係る第２設定画面ＳＧ２について説明する。図４は、本実施形態に係る第１設定画面ＳＧ１及び第２設定画面ＳＧ２を示す図である。第２設定画面ＳＧ２は、ユーザーが起動ボタンＢ１をタッチすると、タッチディスプレー２１に表示される。
【００３９】
ユーザーが起動ボタンＢ１をタッチすると、制御部１０は、図４に示すように、タッチディスプレー２１に第２設定画面ＳＧ２を第１設定画面ＳＧ１の上層に表示させる。詳しくは、制御部１０は、タッチディスプレー２１から送信される検知信号に基づいて、ユーザーが起動ボタンＢ１をタッチしているか否かを判定する。制御部１０は、ユーザーが起動ボタンＢ１をタッチしていると判定すると、タッチディスプレー２１に第２設定画面ＳＧ２を表示させる。換言すると、ユーザーが起動ボタンＢ１のタッチを継続している間、制御部１０は、タッチディスプレー２１に第２設定画面ＳＧ２を表示させる。
【００４０】
一方、制御部１０は、ユーザーが起動ボタンＢ１をタッチしていないと判定すると、第２設定画面ＳＧ２をタッチディスプレー２１に表示させない。換言すると、ユーザーが起動ボタンＢ１のタッチを解除すると、第２設定画面ＳＧ２の表示をタッチディスプレー２１に終了させる。
【００４１】
また、第２設定画面ＳＧ２は、その一部分が透明度を有する。したがって、ユーザーは、タッチディスプレー２１が第２設定画面ＳＧ２を表示した場合であっても、第２設定画面ＳＧ２を介して第１設定画面ＳＧ１の一部を視認することができる。
【００４２】
また、タッチディスプレー２１は、第２設定画面ＳＧ２を表示している間、起動ボタンＢ１を除く第１設定画面ＳＧ１に対する操作を受け付けない。詳しくは、タッチディスプレー２１は、第２設定画面ＳＧ２が表示されている状態において、起動ボタンＢ１に対する操作と第２設定画面ＳＧ２に対する操作とのみを受け付ける。
【００４３】
続いて、図５〜図７を参照して、本実施形態に係る第２設定画面ＳＧ２の構成について説明する。図５は、本実施形態に係る第２設定画面ＳＧ２の構成を示す図である。
【００４４】
図５に示すように、第２設定画面ＳＧ２は、ジョブ種別領域ＡＫ、ジョブ設定領域ＡＳ、及びジョブ実行ボタンＢ２を含む。
【００４５】
ジョブ実行ボタンＢ２は、ジョブの実行を指示するためのボタンである。ユーザーがジョブ実行ボタンＢ２をタッチすると、制御部１０は、ジョブを実行する。本実施形態において、ユーザーがジョブ実行ボタンＢ２をタッチすると、制御部１０は、メインジョブ及び並行ジョブを実行する。
【００４６】
次に、図６を参照して、本実施形態に係るジョブ種別領域ＡＫについて説明する。図６は、実施形態に係るジョブ種別領域ＡＫ及びその近傍を示す図である。
【００４７】
図６に示すように、ジョブ種別領域ＡＫは、メインジョブ種別領域ＡＫ１、及び２つの並行ジョブ種別領域ＡＫ２を含む。２つの並行ジョブ種別領域ＡＫ２は、メインジョブ種別領域ＡＫ１を挟んでＹ軸方向において対向する。以下、２つの並行ジョブ種別領域ＡＫ２のうち、Ｙ１側を「第１並行ジョブ種別領域ＡＫ２１」と記載する場合がある。また、２つの並行ジョブ種別領域ＡＫ２のうち、Ｙ２側を「第２並行ジョブ種別領域ＡＫ２２」と記載する場合がある。
【００４８】
メインジョブ種別領域ＡＫ１には、メインジョブアイコンＪ１が表示される。メインジョブアイコンＪ１は、メインジョブの種別を示す。本実施形態において、メインジョブ種別領域ＡＫ１には、図３を参照して説明した第１設定画面ＳＧ１に対応するジョブの種別を示すアイコンが表示される。図６に示す例において、メインジョブアイコンＪ１は、「送信ジョブ」を示す。
【００４９】
２つの並行ジョブ種別領域ＡＫ２の各々は、異なる並行ジョブの種別を示す。本実施形態において、２つの並行ジョブ種別領域ＡＫ２には、それぞれ異なる並行ジョブアイコンＪ２が表示される。複数の並行ジョブアイコンＪ２の各々は、それぞれ異なる並行ジョブの種別を示す。
【００５０】
図６に示す例において、第１並行ジョブ種別領域ＡＫ２１には、第１並行ジョブアイコンＪ２１が表示される。第２並行ジョブ種別領域ＡＫ２２には、第２並行ジョブアイコンＪ２２が表示される。第１並行ジョブアイコンＪ２１は、「コピージョブ」を示す。第２並行ジョブアイコンＪ２２は、「ファクス送信ジョブ」を示す。
【００５１】
ジョブ設定領域ＡＳは、Ｘ軸方向においてジョブ種別領域ＡＫと隣接する。ジョブ設定領域ＡＳは、メインジョブ設定領域ＡＳ１、及び２つの並行ジョブ設定領域ＡＳ２を含む。メインジョブ設定領域ＡＳ１は、第１ジョブ設定領域の一例であり、並行ジョブ設定領域ＡＳ２は、第２ジョブ設定領域の一例である。
【００５２】
２つの並行ジョブ設定領域ＡＳ２は、Ｙ軸方向において、メインジョブ設定領域ＡＳ１を挟んで対向する。以下、２つの並行ジョブ設定領域ＡＳ２のうち、Ｙ１側の並行ジョブ設定領域ＡＳ２を「第１並行ジョブ設定領域ＡＳ２１」と記載する場合がある。また、２つの並行ジョブ設定領域ＡＳ２のうち、Ｙ２側の並行ジョブ設定領域ＡＳ２を「第２並行ジョブ設定領域ＡＳ２２」と記載する場合がある。
【００５３】
メインジョブ設定領域ＡＳ１は、メインジョブ種別領域ＡＫ１に対応する。メインジョブ設定領域ＡＳ１は、図３を参照して説明した第１設定画面ＳＧ１において設定された第１条件のうち、並行ジョブに反映することができる条件を示す領域である。
【００５４】
第１並行ジョブ設定領域ＡＳ２１は、第１並行ジョブ種別領域ＡＫ２１に対応する。第１並行ジョブ設定領域ＡＳ２１は、第１並行ジョブ種別領域ＡＫ２１が示す並行ジョブの条件を設定するための領域である。
【００５５】
第２並行ジョブ設定領域ＡＳ２２は、第２並行ジョブ種別領域ＡＫ２２に対応する。第２並行ジョブ設定領域ＡＳ２２は、第２並行ジョブ種別領域ＡＫ２２が示す並行ジョブの条件を設定するための領域である。以下、並行ジョブの条件を「第２条件」と記載する。
【００５６】
続いて、図７を参照して、本実施形態に係るジョブ設定領域ＡＳについて更に説明する。図７は、本実施形態に係るジョブ設定領域ＡＳ及びその近傍を示す図である。
【００５７】
メインジョブ設定領域ＡＳ１は、３つのメイン領域を含む。３つのメイン領域は、Ｘ軸方向に沿って設けられる。以下、３つのメイン領域を、Ｘ１側からＸ２側へ向けて「第１メイン領域ＡＳ１ａ」、「第２メイン領域ＡＳ１ｂ」、及び「第３メイン領域ＡＳ１ｃ」と記載する場合がある。
【００５８】
第１メイン領域ＡＳ１ａ〜第３メイン領域ＡＳ１ｃの少なくとも１つは、設定アイコンＴ１を表示する。設定アイコンＴ１は、図３を参照して説明した第１設定画面ＳＧ１において、設定された第１条件のうち、並行ジョブに反映することができる条件を示す。
【００５９】
図７に示す例において、第１メイン領域ＡＳ１ａには、集約の実行を示す「集約アイコン」が表示される。第２メイン領域ＡＳ１ｂには、設定された値に解像度の値を設定する旨を示す「解像度アイコン」が表示される。
【００６０】
第１並行ジョブ設定領域ＡＳ２１及び第２並行ジョブ設定領域ＡＳ２２は、メインジョブ設定領域ＡＳ１から設定アイコンＴ１をコピーすることが可能な領域である。
【００６１】
本実施形態において、第１並行ジョブ設定領域ＡＳ２１は、３つの並行領域を含む。３つの並行領域は、Ｘ軸方向に沿って設けられる。以下、３つの並行領域をＸ１側からＸ２側に向けて順に、「第１並行領域ＡＳ２１ａ」、「第２並行領域ＡＳ２１ｂ」、及び「第３並行領域ＡＳ２１ｃ」と記載する。
【００６２】
第２並行ジョブ設定領域ＡＳ２２は、３つの並行領域を含む。３つの並行領域は、Ｘ軸方向に沿って設けられる。以下、３つの並行領域をＸ１側からＸ２側に向けて順に、「第１並行領域ＡＳ２２ａ」、「第２並行領域ＡＳ２２ｂ」、及び「第３並行領域ＡＳ２２ｃ」と記載する。なお、第１並行ジョブ設定領域ＡＳ２１の３つの並行領域及び第２並行ジョブ設定領域ＡＳ２２の３つの並行領域は、条件領域の一例である。
【００６３】
第１並行ジョブ設定領域ＡＳ２１の第１並行領域ＡＳ２１ａ〜第３並行領域ＡＳ２１ｃと第２並行ジョブ設定領域ＡＳ２２の第１並行領域ＡＳ２２ａ〜第３並行領域ＡＳ２２ｃとはそれぞれ、Ｙ軸方向に隣接する第１メイン領域ＡＳ１ａ〜第３メイン領域ＡＳ１ｃに対応する。詳しくは、第１並行領域ＡＳ２１ａ及び第１並行領域ＡＳ２２ａは、第１メイン領域ＡＳ１ａに対応し、第２並行領域ＡＳ２１ｂ及び第２並行領域ＡＳ２２ｂは、第２メイン領域ＡＳ１ｂに対応し、第３並行領域ＡＳ２１ｃ及び第３並行領域ＡＳ２２ｃは、第３メイン領域ＡＳ１ｃに対応する。
【００６４】
ユーザーは、３つのメイン領域の少なくとも１つに表示された設定アイコンＴ１を、並行領域にコピーすることができる。本実施形態において、ユーザーは、３つのメイン領域の少なくとも１つのメイン領域から対応する並行領域にのみ、設定アイコンＴ１をコピーすることができる。詳しくは、ユーザーは、第１メイン領域ＡＳ１ａに表示される設定アイコンＴ１を、第１並行領域ＡＳ２１ａ及び第１並行領域ＡＳ２２ａのうちの少なくとも一方にコピーすることができる。また、ユーザーは、第２メイン領域ＡＳ１ｂに表示される設定アイコンＴ１を、第２並行領域ＡＳ２１ｂ及び第２並行領域ＡＳ２２ｂのうちの少なくとも一方にコピーすることができる。また、ユーザーは、第３メイン領域ＡＳ１ｃに表示される設定アイコンＴ１を、第３並行領域ＡＳ２１ｃ及び第３並行領域ＡＳ２２ｃのうちの少なくとも一方にコピーすることができる。図７に示す例において、ユーザーは、各メイン領域から、当該メイン領域とＹ軸方向に隣接する領域にのみ設定アイコンＴ１をコピーすることができる。
【００６５】
次に、図８及び図９を参照して、第２設定画面ＳＧ２上でのユーザーによる操作方法について説明する。
【００６６】
まず、図８を参照して、第２条件に第１条件を反映させる操作方法について説明する。図８は、本実施形態に係る第２条件を第１条件に反映させる操作方法を示す図である。図８では、送信ジョブの条件（第１条件）である「集約の実行」をコピージョブの条件（第２条件）に反映させる場合を例に説明する。なお、図８では、理解を容易にするために、第２設定画面ＳＧ２を介して視認できる第１設定画面ＳＧ１を省略している。
【００６７】
図８に示すように、ユーザーが１本の指で起動ボタンＢ１をタッチしたまま、第１メイン領域ＡＳ１ａに表示される設定アイコンＴ１（集約アイコン）を他の指で第１並行領域ＡＳ２１ａまでドラック（タッチしたまま第１並行領域ＡＳ２１ａまでスライド）すると、第１メイン領域ＡＳ１ａから第１並行領域ＡＳ２１ａに設定アイコンＴ１がコピーされる。
【００６８】
第１メイン領域ＡＳ１ａから第１並行領域ＡＳ２１ａへ設定アイコンＴ１がコピーされると、制御部１０は、設定アイコンＴ１によって示される第１条件を第２条件に反映させる。
【００６９】
詳しくは、制御部１０は、設定アイコンＴ１がコピーされた位置を示す座標データを取得し、設定アイコンＴ１がコピーされた位置を示す座標データに基づいて、設定アイコンＴ１がコピーされた第１並行領域ＡＳ２１ａを特定する。なお、並行ジョブ設定領域ＡＳ２の位置を示す座標データは、記憶部９に予め記憶されている。
【００７０】
制御部１０は、設定アイコンＴ１がコピーされた並行ジョブ設定領域ＡＳ２を特定すると、特定した並行ジョブ設定領域ＡＳ２に対応する並行ジョブの種別を取得する。制御部１０は、例えば、並行ジョブ設定領域ＡＳ２と対応する並行ジョブ種別領域ＡＫ２を特定することにより、並行ジョブ設定領域ＡＳ２に対応する並行ジョブの種別を取得する。制御部１０は、並行ジョブの種別を取得すると、取得した並行ジョブの条件（第２条件）に第１条件を反映させる。制御部１０は、例えば、並行ジョブの種別を示すデータと、第２条件を示すデータ（第１条件を示すデータの複製）とを関連付けて記憶部９に記憶させることにより、第２条件に第１条件を反映させる。以下、第２条件を示すデータを「第２条件データ」と記載する。
【００７１】
本実施形態において、第２条件データは、メインジョブが実行されるまで記憶部９に記憶される。換言すると、制御部１０は、起動ボタンＢ１に対するタッチが解除されて、第２設定画面ＳＧ２の表示が終了された後も、メインジョブが実行されるまで、第１条件データ及び第２条件データを記憶部９から削除しない。したがって、ユーザーの指が誤って起動ボタンＢ１から離れることにより、起動ボタンＢ１に対するタッチが解除された場合であっても、第２条件データが記憶部９から削除されることが抑制される。
【００７２】
次に、図９を参照して、マルチファンクション機能を実行する操作方法について説明する。図９は、本実施形態に係るマルチファンクション機能を実行する操作方法を示す図である。なお、図９は、図８に示す第２設定画面ＳＧ２に対応する。換言すると、図９は、第１メイン領域ＡＳ１ａから第１並行領域ＡＳ２１ａに設定アイコンＴ１（集約アイコン）がコピーされた状態の第２設定画面ＳＧ２を示す。
【００７３】
図９に示すように、ユーザーが１本の指で起動ボタンＢ１をタッチしたまま、ジョブ実行ボタンＢ２を別の指でタッチすると、制御部１０は、メインジョブと、設定アイコンＴ１がコピーされた並行ジョブとを実行する。即ち、制御部１０は、メインジョブと、第１条件が第２条件に反映された並行ジョブと並行して実行する。
【００７４】
例えば、メインジョブが、送信ジョブであり、並行ジョブがコピージョブである場合、制御部１０は、原稿Ｄの画像の読み取りを原稿読取装置４に実行させる。制御部１０は、原稿読取装置４が読み取った原稿Ｄの画像を示すデータを、指定された宛先へネットワーク通信部７を介して送信するとともに、原稿読取装置４が読み取った原稿Ｄの画像を示すデータに基づく印刷処理を印刷部６に実行させる。図９に示す例において、メインジョブと並行ジョブとは、「集約の実行」が条件として設定されている。したがって、送信ジョブ及びコピージョブでは、原稿Ｄが集約される。
【００７５】
続いて、図１〜図１０を参照して、本実施形態に係る第２設定画面表示処理について説明する。図１０は、本実施形態に係る第２設定画面表示処理を示すフローチャートである。第２設定画面表示処理は、図３を参照して説明した起動ボタンＢ１がタッチされて、制御部１０がタッチディスプレー２１から起動ボタンＢ１のタッチを示す検知信号を受信すると開始される。
【００７６】
図１０に示すように、制御部１０は、タッチディスプレー２１から起動ボタンＢ１のタッチを示す検知信号を受信すると、タッチディスプレー２１に第２設定画面ＳＧ２を表示させる（ステップＳ１０１）。次いで、制御部１０は、設定アイコンＴ１がコピーされたか否かを判定する（ステップＳ１０２）。制御部１０は、設定アイコンＴ１がコピーされていないと判定すると（ステップＳ１０２；Ｎｏ）、起動ボタンＢ１に対するタッチが解除されたか否かを判定する（ステップＳ１０３）。起動ボタンＢ１に対するタッチが解除されていないと制御部１０が判定すると（ステップＳ１０３；Ｎｏ）、第２設定画面表示処理は、ステップＳ１０２へ戻る。
【００７７】
また、制御部１０は、設定アイコンＴ１がコピーされたと判定すると（ステップＳ１０２；Ｙｅｓ）、第１条件を第２条件に反映させる（ステップＳ１０４）。次いで、制御部１０は、ジョブ実行ボタンＢ２がタッチされたか否かを判定する（ステップＳ１０５）。ジョブ実行ボタンＢ２がタッチされていないと制御部１０が判定すると（ステップＳ１０５；Ｎｏ）、第２設定画面表示処理は、ステップＳ１０３へ戻る。一方、制御部１０は、ジョブ実行ボタンＢ２がタッチされたと判定すると（ステップＳ１０５；Ｙｅｓ）、ジョブを実行する（ステップＳ１０６）。詳しくは、制御部１０は、メインジョブ及び第１条件が第２条件に反映された並行ジョブを実行する。
【００７８】
制御部１０によってジョブが実行された場合（ステップＳ１０６）、又は、起動ボタンＢ１に対するタッチが解除されたと、制御部１０が判定した場合（ステップＳ１０３；Ｙｅｓ）、第２設定画面ＳＧ２の表示をタッチディスプレー２１に終了させて（ステップＳ１０７）、第２設定画面表示処理を終了する。
【００７９】
以上、本実施形態について説明した。本実施形態によれば、ユーザーは、所望の条件を設定する設定アイコンＴ１をドラックするだけで、メインジョブに対して設定した条件（第１条件）を並行ジョブの条件（第２条件）に反映させることができる。換言すると、ユーザーは、設定画面を切り替えることなく、メインジョブに対して設定した条件を並行ジョブの条件に反映させることができる。したがって、並行して実行する複数のジョブの設定が容易になる。よって、ユーザーによる操作を容易にすることができる。
【００８０】
また、本実施形態において、ユーザーは、３つのメイン領域の少なくとも１つのメイン領域から対応する並行領域にのみ、設定アイコンＴ１をコピーすることができる。これにより、第１条件（例えば、「集約の実行」）が重複して第２条件に反映されることが抑制される。
【００８１】
また、本実施形態において、制御部１０は、ユーザーが起動ボタンＢ１をタッチしているか否かを判定する。制御部１０は、ユーザーが起動ボタンＢ１をタッチしていると判定すると、タッチディスプレー２１に第２設定画面ＳＧ２を表示させる。一方、制御部１０は、ユーザーが起動ボタンＢ１をタッチしていないと判定すると、第２設定画面ＳＧ２をタッチディスプレー２１に表示させない。したがって、ユーザーは、起動ボタンＢ１に対する操作（タッチ及びそのタッチを解除）することにより、第２設定画面ＳＧ２の表示及び非表示を容易に切り替えることができる。
【００８２】
また、第２設定画面ＳＧ２は、ジョブ種別領域ＡＫ、及びジョブ設定領域ＡＳを除く部分が透明度を有する。したがって、ユーザーは、タッチディスプレー２１が第２設定画面ＳＧ２を表示した場合であっても、第２設定画面ＳＧ２を介して第１設定画面ＳＧ１の一部を視認することができる。これにより、ユーザーは、第２設定画面ＳＧ２が表示される前の画面（第１設定画面ＳＧ１）を容易に認識することができる。
【００８３】
また、本実施形態において、第２設定画面ＳＧ２は、ジョブ実行ボタンＢ２を含む。したがって、ユーザーは、第２設定画面ＳＧ２上のジョブ実行ボタンＢ２をタッチすることにより、メインジョブと並行ジョブとの実行を画像形成装置１００に対して要求することができる。換言すると、ユーザーは、１つの画面上で、ジョブの条件の設定と、メインジョブ及び並行ジョブの実行とを画像形成装置１００に対して指示することができる。よって、ユーザーによる操作を容易にすることができる。
【００８４】
また、本実施形態において、２つの並行ジョブ設定領域ＡＳ２は、Ｙ軸方向においてメインジョブ設定領域ＡＳ１を挟んで対向する。したがって、ユーザーは、設定アイコンＴ１をドラックさせやすい。よって、ユーザーによる操作性が向上する。
【００８５】
また、本実施形態において、起動ボタンＢ１は、半円形状である。したがって、ユーザーは、親指などの１本の指を起点として、他の指を放射線状移動させることにより、第２設定画面ＳＧ２で様々な操作ができる。よって、ユーザーによる操作性が向上する。
【００８６】
なお、本実施形態において、起動ボタンＢ１が第１設定画面ＳＧ１のＹ２側の端辺と略一致するように表示される構成を説明したが、起動ボタンＢ１が表示される位置は、第１設定画面ＳＧ１のＹ２側の端辺と略一致する位置に限定されない。例えば、起動ボタンＢ１は、第１設定画面ＳＧ１のＹ１側の端辺と略一致するように表示されてもよい。
【００８７】
また、本実施形態において、起動ボタンＢ１が半円形状である場合を説明したが、起動ボタンＢ１は、半円形状に限定されない。起動ボタンＢ１は、円弧形状であってもよい。
【００８８】
また、本実施形態において、並行ジョブ種別領域ＡＫ２の数が２つである構成を説明したが、並行ジョブ種別領域ＡＫ２の数は、２つである構成に限定されない。並行ジョブ種別領域ＡＫ２の数は、画像形成装置１００がメインジョブと並行して実行できるジョブの種別の数と一致すればよく、１つ又は３つ以上であり得る。なお、並行ジョブ設定領域ＡＳ２は、並行ジョブ種別領域ＡＫ２の数に対応して変更し得る。
【００８９】
また、本実施形態において、メインジョブ設定領域ＡＳ１が、３つのメイン領域（第１メイン領域ＡＳ１ａ〜第３メイン領域ＡＳ１ｃ）を含む構成を説明したが、メインジョブ設定領域ＡＳ１が含むメイン領域の数は、１〜２つ、又は４つ以上であってもよい。
【００９０】
また、本実施形態において、第１並行ジョブ設定領域ＡＳ２１及び第２並行ジョブ設定領域ＡＳ２２のそれぞれが、３つの並行領域（第１並行領域ＡＳ２１ａ〜第３並行領域ＡＳ２１ｃ及び第１並行領域ＡＳ２２ａ〜第３並行領域ＡＳ２２ｃ）を含む構成を説明したが、第１並行ジョブ設定領域ＡＳ２１及び第２並行ジョブ設定領域ＡＳ２２のそれぞれが含む並行領域の数は、１〜２つ、又は４つ以上であってもよい。
【００９１】
また、メイン領域の数が４つ以上及び並行領域の数が４つ以上である場合、図１１に示すように、第２設定画面ＳＧ２は、領域移動ボタンＢ３を更に含んでもよい。図１１は、本実施形態に係る第２設定画面ＳＧ２の変形例を示す図である。ユーザーは、領域移動ボタンＢ３をタッチすることにより、タッチディスプレー２１に表示されるメイン領域及び並行領域を変更することができる。なお、図１１では、理解を容易にするために、第２設定画面ＳＧ２を介して視認できる第１設定画面ＳＧ１を省略している。
【００９２】
また、本実施形態において、ジョブ実行ボタンＢ２が第２設定画面ＳＧ２に含まれる構成を説明したが、ジョブ実行ボタンＢ２は、第２設定画面ＳＧ２に含まれる構成に限定されない。例えば、ジョブ実行ボタンＢ２がハードキー２２であってもよい。この場合、ユーザーは、起動ボタンＢ１をタッチしつつ、ジョブ実行ボタンＢ２を押下することにより、メインジョブ及び並行ジョブを並行に実行することができる。
【００９３】
また、図１２に示すように、第２設定画面ＳＧ２は、削除ボタンＢ４を更に含んでもよい。図１２は、本実施形態に係る第２設定画面ＳＧ２の他の変形例を示す図である。なお、図１２では、理解を容易にするために、第２設定画面ＳＧ２を介して視認できる第１設定画面ＳＧ１を省略している。
【００９４】
図１２に示すように、削除ボタンＢ４は、コピーされた設定アイコンＴ１の近傍に表示される。コピーされた設定アイコンＴ１が複数である場合、削除ボタンＢ４は、複数の設定アイコンＴ１の各々の近傍に表示される。ユーザーは、誤ってコピーした設定アイコンＴ１の近傍に表示される削除ボタンＢ４をタッチすることにより、誤ってコピーした設定アイコンＴ１を削除することができる。
【００９５】
以上、本発明の実施形態について、図面（図１〜図１２）を参照しながら説明した。但し、本発明は、上記の実施形態に限られるものではなく、その要旨を逸脱しない範囲で種々の態様において実施することが可能である。また、上記の実施形態で示す構成は、一例であって特に限定されるものではなく、本発明の効果から実質的に逸脱しない範囲で種々の変更が可能である。
【００９６】
例えば、本発明の実施形態では、電子写真方式の画像形成装置に本発明が適用される場合を例に説明したが、本発明は、インクジェット方式のような電子写真方式以外の画像形成装置にも適用可能である。
【産業上の利用可能性】
【００９７】
本発明は、例えば、画像形成装置の分野に有用である。
【符号の説明】
【００９８】
１          画像形成装置
１０        制御部
２１        タッチディスプレー
【図１】
2020021360.tif 000003
【図２】
2020021360.tif 000004
【図３】
2020021360.tif 000005
【図４】
2020021360.tif 000006
【図５】
2020021360.tif 000007
【図６】
2020021360.tif 000008
【図７】
2020021360.tif 000009
【図８】
2020021360.tif 000010
【図９】
2020021360.tif 000011
【図１０】
2020021360.tif 000012
【図１１】
2020021360.tif 000013
【図１２】
2020021360.tif 000014